【手続補正書】
【提出日】平成24年7月24日(2012.7.24)
【手続補正１】
【補正対象書類名】特許請求の範囲
【補正対象項目名】全文
【補正方法】変更
【補正の内容】
【特許請求の範囲】
【請求項１】
コンピューティングシステムの１個または複数個のプロセッサによって実行されるとき、
フォームの複数のフォームフィールドを指定するフォームフィールド仕様をウェブサイトから得る動作と、
前記フォームの前記複数のフォームフィールドのうちの少なくとも１つの中に、少なくとも１つの値を与えるために使用されるデジタルＩＤを選択しまたは作成するよう、前記コンピューティングシステムのユーザを促す動作と、
前記ユーザが選択した、または作成した前記デジタルＩＤを使用して、前記フォームの前記複数のフォームフィールドのうちの前記少なくとも１つを埋めるために使用するデータを得る動作と、
少なくとも１つの埋められたフォームフィールドを生成するために、得られた前記データを用いて前記フォームの前記複数のフォームフィールドのうちの前記少なくとも１つを埋める動作と、
前記少なくとも１つの埋められたフォームフィールドを前記ウェブサイトに提出する動作と
を前記コンピューティングシステムに実行させるコンピュータ実行可能命令を有することを特徴とする１つまたは複数のコンピュータ可読記憶媒体。
【請求項２】
前記１つまたは複数のコンピュータ可読記憶媒体は、物理メモリおよび／または記憶媒体であることを特徴とする請求項１に記載のコンピュータ可読記憶媒体。
【請求項３】
前記フォームは、前記ウェブサイトにおいて新たなアカウントを登録するためのものであることを特徴とする請求項２に記載のコンピュータ可読記憶媒体。
【請求項４】
前記フォームは、前記ウェブサイトにログインし、または別の方法で前記ウェブサイトにおいて認証するためのものであることを特徴とする請求項２に記載のコンピュータ可読記憶媒体。
【請求項５】
前記フォームの前記フォームフィールドの前記少なくとも１つのうちの、１つまたは複数は、パスワードフィールドであることを特徴とする請求項２に記載のコンピュータ可読記憶媒体。
【請求項６】
前記フォームフィールド仕様は、前記フォームの前記フォームフィールドのうちの１つまたは複数に関する、１つまたは複数のフォームフィールド制限も指定することを特徴とする請求項２に記載のコンピュータ可読記憶媒体。
【請求項７】
得られた前記データを用いて前記フォームの前記フォームフィールドのうちの前記少なくとも１つを埋める前記動作において、前記フォームフィールド仕様の中で指定される前記１つまたは複数のフォームフィールド制限が満たされることを特徴とする請求項６に記載のコンピュータ可読記憶媒体。
【請求項８】
前記デジタルＩＤは、情報カードとして前記ユーザに提示されることを特徴とする請求項２に記載のコンピュータ可読記憶媒体。
【請求項９】
コンピューティングシステムの１個または複数個のプロセッサによって実行されるとき、
アプリケーションまたはウェブサイトのユーザ名およびパスワード仕様を得る動作と、
得られた前記ユーザ名およびパスワード仕様に準拠する、ユーザ名とパスワードとの対を生成する動作と、
前記アプリケーションまたはウェブサイトにおいて将来認証するために前記コンピューティングシステムが前記ユーザ名とパスワードとの対を呼び出すことができるよう、生成された前記ユーザ名とパスワードとの対を記憶する動作と
を前記コンピューティングシステムに実行させるコンピュータ実行可能命令を有することを特徴とする１つまたは複数のコンピュータ可読記憶媒体。
【請求項１０】
前記１つまたは複数のコンピュータ可読媒体は、物理メモリおよび／または記憶媒体であることを特徴とする請求項９に記載のコンピュータ可読記憶媒体。
【請求項１１】
生成された前記ユーザ名とパスワードとの対は、他のアプリケーションまたはウェブサイト用に前記コンピューティングシステムにより生成されたユーザ名とパスワードとの対と重複しないことを特徴とする請求項１０に記載のコンピュータ可読記憶媒体。
【請求項１２】
前記コンピュータ実行可能命令は、生成された前記ユーザ名とパスワードとの対が対応する前記アプリケーションまたはウェブサイトに対し、ログインさせ、または他の方法で認証させる動作を前記コンピューティングシステムにさらに実行させることを特徴とする請求項１１に記載のコンピュータ可読記憶媒体。
【請求項１３】
前記コンピューティングシステムは、ウェブブラウザクライアントコンピューティングシステムを含み、前記アプリケーションまたはウェブサイトは、ウェブサイトを含むことを特徴とする請求項１１に記載のコンピュータ可読記憶媒体。
【請求項１４】
前記コンピュータ実行可能命令は、前記ウェブサイトにおける将来の認証で使用するためのデジタルＩＤを選択しまたは作成するよう、前記ユーザを促す動作を前記コンピューティングシステムにさらに実行させることも特徴とする請求項１３に記載のコンピュータ可読記憶媒体。
【請求項１５】
前記コンピュータ実行可能命令は、生成された前記ユーザ名とパスワードとの対を、前記ウェブサイトに対して、および前記ユーザが選択したまたは作成した前記デジタルＩＤに対して、前記コンピューティングシステムに関連付ける動作を前記コンピューティングシステムにさらに実行させることも特徴とする請求項１４に記載のコンピュータ可読記憶媒体。
【請求項１６】
前記コンピュータ実行可能命令は、
生成された前記ユーザ名とパスワードとの対に関連する前記ウェブサイトを将来訪問するとき、前記ユーザにデジタルＩＤを選択するよう促す動作と、
前記ウェブサイトに対し、ログインさせ、または他の方法で認証させる動作と
を前記コンピューティングシステムにさらに実行させることも特徴とする請求項１５に記載のコンピュータ可読記憶媒体。
【請求項１７】
ブラウザクライアントコンピューティングシステム、および少なくとも１つのウェブページを提供する、少なくとも１つのページサーバコンピューティングシステムを含むネットワークにおいて、前記ブラウザクライアントコンピューティングシステムが、前記少なくとも１つのページサーバコンピューティングシステムにデータを提供する方法であって、前記方法は、
前記ブラウザクライアントコンピューティングシステムが、フォームの複数のフォームフィールド、および前記フォームの前記フォームフィールドのそれぞれに対してゼロ以上のフォームフィールド制限を指定する、前記少なくとも１つのウェブページのフォームフィールド仕様を得るステップと、
前記ブラウザクライアントコンピューティングシステムが、デジタルＩＤを選択または作成するよう、ユーザを促すステップと、
前記ブラウザクライアントコンピューティングシステムが、前記フォームの前記フォームフィールドのうちの少なくとも１つを埋めるためのデータを得るステップであって、前記データは、前記ユーザが選択したまたは作成した前記デジタルＩＤを使用して得られるデータ、動的に生成されるユーザ名とパスワードとの対、または以前に生成したユーザ名とパスワードとの対、のうちの１つもしくは複数からなる、データを得るステップと、
前記ブラウザクライアントコンピューティングシステムが、得られた前記データを用いて前記フォームの前記フォームフィールドのうちの前記少なくとも１つを埋めるステップと、
前記ブラウザクライアントコンピューティングシステムが、前記フォームの前記少なくとも１つの埋められたフォームフィールドを、前記少なくとも１つのページサーバコンピューティングシステムに提出するステップと
を含むことを特徴とする方法。
【請求項１８】
前記フォームの前記フォームフィールドのうちの前記少なくとも１つを埋めるために得られる前記データは、前記ユーザが選択したまたは作成した前記デジタルＩＤを使用して得られるデータを含むことを特徴とする請求項１７に記載の方法。
【請求項１９】
前記フォームの前記フォームフィールドのうちの前記少なくとも１つを埋めるために得られる前記データは、動的に生成されるユーザ名とパスワードとの対を含むことを特徴とする請求項１７に記載の方法。
【請求項２０】
前記フォームの前記フォームフィールドのうちの前記少なくとも１つを埋めるために得られる前記データは、以前に生成したユーザ名とパスワードとの対を含むことを特徴とする請求項１７に記載の方法。